(57)【要約】【課題】単一の光ピックアップを用いて、連続するデータをＣＡＶ方式の光ディスクから高速な転送速度で再生する。【解決手段】一定速度で回転している光ディスクは記録領域が＃１〜＃ｎにｎ分割されており、光ピックアップを内周方向と外周方向とに交互に移動させて符号化データが記録されている。この光ディスクの最内周領域＃１から０.４倍速で一定期間光ピックアップにより符号化データを再生し、続いて光ピックアップを最外周領域＃ｎへシークした後、その最外周領域＃ｎから１.０倍速で一定期間符号化データを再生する。以下、上記と同様に、内周側領域と外周側領域とに対して間欠的に交互に再生を行う。バッファメモリは再生符号化データを一時蓄積した後、連続的に読み出す。これにより、再生転送速度を略均一化でき、最内周領域＃１の再生転送速度よりも高倍速の再生ができる。【選択図】図９
2009087416.tif 000002
【特許請求の範囲】
【請求項１】
一定回転速度で回転する光ディスクに対して、連続する所望の情報を単一の光ピックアップを用いて再生する再生方法において、
前記光ディスクには、その記録領域をｎ分割（ｎは２以上の自然数）して得たｎ個の分割領域のうち、前記光ピックアップを前記光ディスクの内周側方向と外周側方向とに交互に移動させて前記ｎ個以下の各分割領域に前記連続する所望の情報内の各部分が順次に記録されており、
前記光ディスクから、前記光ピックアップを前記光ディスクの外周側方向と内周側方向とに交互に往復移動させて前記所望の情報の内の各部分を順次に再生する第１のステップと、
前記第１のステップにより再生された前記所望の情報の内の各部分を一時記憶した後、連続して読み出す第２のステップと
を含むことを特徴とする再生方法。
【請求項２】
一定回転速度で回転する光ディスクに対して、連続する所望の情報を単一の光ピックアップを用いて再生する再生装置において、
前記光ディスクには、その記録領域をｎ分割（ｎは２以上の自然数）して得たｎ個の分割領域のうち、前記光ピックアップを前記光ディスクの内周側方向と外周側方向とに交互に移動させて、前記ｎ個以下の各分割領域に前記連続する所望の情報の内の各部分が順次に記録されており、
前記光ピックアップにより前記光ディスクの前記分割領域から再生した前記所望の情報の内の一部分を一時記憶する一時記憶手段と、
前記光ディスクの前記ｎ個の分割領域のうち、任意の分割領域に前記光ピックアップを移動させて、その任意の分割領域から前記所望の情報の内の一部分を再生させる移動手段と、
前記移動手段を制御すると共に前記一時記憶手段を制御して、前記光ピックアップを前記ｎ個以下の各分割領域への記録順と同じ順序で前記光ディスクの内周側方向と外周側方向とに交互に往復移動させて、前記ｎ個以下の前記分割領域のそれぞれから前記所望の情報の内の各部分を順次に再生して前記一時記憶手段に一時記憶させる再生制御手段と、
前記一時記憶手段から読み出した前記再生された所望の情報の内の各部分を復号して再生情報を得る再生情報生成手段と
を有することを特徴とする再生装置。
【発明の詳細な説明】
【技術分野】
【０００１】
本発明は再生方法及び再生装置に係り、特に光ディスクを一定の回転数で回転させ、その光ディスクから情報を再生する、ＣＡＶ(Constant Angular Velocity;等角速度)方式の再生方法及び再生装置に関する。
【背景技術】
【０００２】
従来、ディスク媒体の記録再生時の主な回転制御方式として、ディスク媒体を一定回転数で回転させるＣＡＶ方式と、ピックアップとディスク媒体との相対線速度を一定とするようにディスク媒体を回転させるＣＬＶ(Constant Linear Velocity;等線速度)方式とがある。
【０００３】
このうち、ＣＬＶ方式は、記録再生レートを一定にでき、かつ、ディスク媒体の内周から外周までの全面に亘って記録密度が一定であるために、ディスク媒体の記録容量を大きくすることができるという特長がある。このため、ＣＤ(Compact Disk)、ＤＶＤ(Digital Versatile Disk)、ＢＤ(Blu-Ray Disk)などの光ディスクでは、ＣＬＶ方式を採用している。しかしながら、ＣＬＶ方式ではピックアップとディスク媒体との相対線速度を一定とするため、ディスク媒体の内周ではディスク媒体を高速に回転させ、外周へ向かうに従って徐々に減速して低速に回転させるディスク媒体の回転制御を必要とする。
【０００４】
一方、ＣＡＶ方式は、ＣＬＶ方式のような回転制御をせずに、ディスク媒体を一定速度（一定回転数）で回転する方式である。このため、ＣＡＶ方式では、ディスク媒体の内周に比べて外周の線速度が高くなり、外周へ向かうに従い転送速度を高めることができる。このため、ＣＤ、ＤＶＤ、ＢＤなどの光ディスクをコンピュータの外部記憶装置として用いる場合に、ＣＡＶ方式の回転制御で記録再生することで平均転送速度を向上させている。
【０００５】
しかしながら、一般に、ＣＡＶ方式では外周に比べて内周の転送速度（記録再生レート）は約２／５程度であり、ディスク媒体全面に亘って転送速度を均一化することができない。例えば、ＣＡＶ方式で光ディスクにビデオ信号の符号化データを記録再生する場合には、光ディスクの最内周から外周へ向かうに従い転送速度が高くなるため、最も転送速度が小さな最内周における転送速度をビデオ信号の符号化データの最大符号化速度として制限する必要がある。このため、光ディスク最内周への記録再生において最大符号化速度の制限を起因とする再生画質の劣化が生じる可能性がある。
【０００６】
この問題に対して、「複数のセクタからなる記録トラックを表裏に有する光ディスクの第１の面にデータを記録／再生する第１のヘッドと、光ディスクの第２の面にデータを記録／再生する第２のヘッドと、第１の面のセクタに対して論理アドレスを１セクタあるいは複数セクタ単位で内周側の記録トラックから、第２の面のセクタに対して論理アドレスを１セクタあるいは複数セクタ単位で外周側の記録トラックから、各面に論理アドレスを交互に順次割り付け、第１のヘッドと第２のヘッドからの記録／再生データを論理アドレス順に並び替えて出力する制御手段とを備える」ことで、ＣＡＶ方式で記録／再生するディスク媒体全面にわたって転送速度を高速化する方法が従来開示されている（例えば、特許文献１参照）。
【０００７】
また、ＣＡＶ方式の光ディスクの記録時に、内周の所定領域にダミーデータを書き込み、その外側の所定の転送速度以上が得られる外周領域を有効データの記録再生領域として用いることで、有効データの転送速度を高速化する方法も従来知られている（例えば、特許文献２参照）。
【０００８】
【特許文献１】特開平６−６０５６６号公報
【特許文献２】特開平１１−３３８６４５号公報
【発明の開示】
【発明が解決しようとする課題】
【０００９】
しかしながら、特許文献１記載の従来方法では、２つの光ヘッドを必要とするため、１つの光ヘッドで構成される光ディスクの再生装置に比べて、コストが高くなり、また、２つの光ヘッドからの再生データを論理アドレス順に並び替えて連続した再生データとして出力するための制御を必要とするため構成、及び、制御が複雑になることが課題である。更に、この特許文献１記載の従来方法では、２つの光ヘッドが光ディスクの表面と裏面のそれぞれに対してデータの記録／再生を行うために、記録層が一つである単層の光ディスクに対しては適用できないという課題もある。
【００１０】
また、特許文献２記載の従来方法では、ダミーデータを書き込む内周の所定領域は有効データの記録再生には用いられないので、光ディスク媒体の有効記憶容量が減ることが課題である。
【００１１】
本発明は以上の点に鑑みなされたもので、単一の光ピックアップを用いて、連続するデータをＣＡＶ方式の光ディスクから高速な転送速度で再生することが可能な再生方法及び再生装置を提供することを目的とする。
【課題を解決するための手段】
【００１２】
上記目的を達成するため、本発明の再生方法は、一定回転速度で回転する光ディスクに対して、連続する所望の情報を単一の光ピックアップを用いて再生する再生方法において、光ディスクには、その記録領域をｎ分割（ｎは２以上の自然数）して得たｎ個の分割領域のうち、光ピックアップを光ディスクの内周側方向と外周側方向とに交互に移動させてｎ個以下の各分割領域に連続する所望の情報内の各部分が順次に記録されており、上記光ディスクから、光ピックアップを光ディスクの外周側方向と内周側方向とに交互に往復移動させて所望の情報の内の各部分を順次に再生する第１のステップと、第１のステップにより再生された所望の情報の内の各部分を一時記憶した後、連続して読み出す第２のステップとを含むことを特徴とする。
【００１３】
また、上記の目的を達成するため、本発明の再生装置は、一定回転速度で回転する光ディスクに対して、連続する所望の情報を単一の光ピックアップを用いて再生する再生装置において、上記光ディスクには、その記録領域をｎ分割（ｎは２以上の自然数）して得たｎ個の分割領域のうち、光ピックアップを光ディスクの内周側方向と外周側方向とに交互に移動させて、ｎ個以下の各分割領域に連続する所望の情報の内の各部分が順次に記録されており、
光ピックアップにより光ディスクの分割領域から再生した所望の情報の内の一部分を一時記憶する一時記憶手段と、光ディスクのｎ個の分割領域のうち、任意の分割領域に光ピックアップを移動させて、その任意の分割領域から所望の情報の内の一部分を再生させる移動手段と、移動手段を制御すると共に一時記憶手段を制御して、光ピックアップをｎ個以下の各分割領域への記録順と同じ順序で光ディスクの内周側方向と外周側方向とに交互に往復移動させて、ｎ個以下の分割領域のそれぞれから所望の情報の内の各部分を順次に再生して一時記憶手段に一時記憶させる再生制御手段と、一時記憶手段から読み出した再生された所望の情報の内の各部分を復号して再生情報を得る再生情報生成手段とを有することを特徴とする。
【００１４】
本発明の再生方法及び再生装置では、記録領域をｎ分割して得たｎ個の分割領域のうち、光ピックアップを光ディスクの内周側方向と外周側方向とに交互に移動させて、ｎ個以下の各分割領域に連続する所望の情報の内の各部分が順次に記録されている光ディスクに対して、光ピックアップを記録順に移動させて各分割領域から所望の情報の内の各部分を再生して一時記憶した後、連続して読み出すことで、ＣＡＶ方式の光ディスクであっても、略均一の再生転送速度で記録情報の再生ができる。
【発明の効果】
【００１５】
本発明によれば、ＣＡＶ方式で光ディスクから略均一化した転送速度の再生情報を得ることができ、従来より高速化することができる。また、本発明によれば、２つの光ヘッドを用いる従来装置よりも構成を簡略化でき、更に光ディスクの記録領域のすべてを有効利用することができる。
【発明を実施するための最良の形態】
【００１６】
次に、本発明の最良の形態について図面と共に詳細に説明する。
【００１７】
図１は、本発明になる再生装置の一実施の形態を備えた記録再生装置のブロック図を示す。同図において、記録再生装置１００は、光ディスク２００に対して画像信号を記録又は再生する記録再生部１１０と、記録再生の指示などを行うホストＣＰＵ（Central Processing Unit;中央処理装置）１２０と、所定の情報を記憶するホストメモリ１３０と、記録画像信号の符号化や再生符号化画像信号の復号を行うビデオコーデック１４０と、ホストＣＰＵ１２０、ホストメモリ１３０及びビデオコーデック１４０と、記録再生部１１０とを双方向に接続するホストバス１５０とよりなる。
【００１８】
記録再生部１１０は、ホストバス１５０との間でインターフェイスをとるホストインターフェイス１１１と、符号化画像信号を一時記憶する一時記憶手段であるバッファメモリ１１２と、記録再生制御回路１１３と、光ディスク２００に対して光学的に符号化画像信号を記録したり、光ディスク２００に記録されている符号化画像信号を光学的に再生するための光ピックアップ１１４と、光ピックアップ１１４全体を光ディスク２００の半径方向に移動するための光ピックアップ移動機構１１５と、光ディスク２００を一定速度（一定回転数）で回転させるスピンドルモータ１１６とを少なくとも備えている。光ディスク２００は、ＣＬＶ方式で画像信号が記録再生される仕様である既存の光ディスクであり、例えばＢＤである。光ディスク２００の記録層は１層でも多層でもよい。
【００１９】
なお、記録再生部１１０内には、光ピックアップ１１４から光ディスク２００上に照射された光ビームを光ディスク２００上に焦点一致させてスポットを形成させるフォーカスサーボや、上記スポットを光ディスク２００上の所望のトラックを追従走査させるためのトラッキングサーボなどのサーボ回路など従来より周知の回路も含まれるが、本発明の動作と直接関係のない回路部は、便宜上図示を省略してある。
【００２０】
次に、記録時の動作の概要について説明する。光ディスク２００は、スピンドルモータ１１６により一定速度で回転されている。ビデオコーデック１４０は、ホストＣＰＵ１２０からホストバス１５０を介して供給された記録指示に基づき、入力された記録画像信号に対して所定の符号化方式に従って符号化画像信号（符号化データ）を生成し、その符号化データを、ホストバス１５０を介して記録再生部１１０に供給する。
【００２１】
記録再生部１１０では、上記の符号化データをホストインターフェイス１１０により入力として受け、その入力符号化データを、一定の転送速度でバッファメモリ１１２に一旦蓄積する。続いて、記録再生部１１０では、記録再生制御回路１１３が、後述するように、光ディスク２００の複数の分割領域に符号化データを所定の順番で記録するように、バッファメモリ１１２から記録する分割領域に応じた所定の速度で読み出すと共に、ホストＣＰＵ１２０からホストインターフェイス１１１を介して光ピックアップ移動機構１１５を駆動して光ピックアップ１１４の位置を制御しながら、光ディスク２００に記録する。
【００２２】
次に、記録再生装置１００の再生動作の概要について説明する。光ディスク２００は、スピンドルモータ１１６により一定速度で回転されている。ビデオコーデック１４０は、ホストＣＰＵ１２０からホストバス１５０を介して供給された再生指示に基づき、記録再生制御回路１１３が、後述するように、光ディスク２００の複数の分割領域に所定の順番で記録された符号化データを記録した順番で再生するように、光ピックアップ１１４の位置を制御しながら、光ディスク２００の各分割領域から光学的に符号化データを再生し、その再生符号化データをバッファメモリ１１２に供給する。
【００２３】
バッファメモリ１１２に一旦蓄積された再生符号化データは、ホストインターフェイス１１０を介してホストバス１５０へ一定の転送速度で出力され、更にビデオコーデック１４０に供給されて復号される。ビデオコーデック１４０で復号して得られた再生画像信号は外部へ出力される。
【００２４】
ここで、この再生時には、単一の光ピックアップ１１４を用いて、ＣＡＶ方式でバッファメモリ１１２を介して光ディスク２００の内周側の分割領域と外周側の分割領域とに対して間欠的に交互に再生を行うことで、光ディスク２００の転送速度を高速化するものである。
【００２５】
図２は本発明により再生する光ディスクの各分割領域を説明する図である。同図において、光ディスク２００の記録領域全体を、最内周の領域を＃１、以下外周に進むに従って各領域を＃２、＃３、・・・とし、最外周の領域を＃ｎというように、ｎ分割（ｎは４以上の自然数）する。各分割領域＃１〜＃ｎは、それぞれ一定時間の記録情報を記録する領域である。なお、本明細書において、最内周の分割領域＃１を最内周領域、最外周の分割領域＃ｎを最外周領域というものとする。
【００２６】
次に、本発明の再生方法及び再生装置で再生すべき光ディスクの記録方法の各例について説明する。
【００２７】
本発明の再生方法及び再生装置の第１の実施の形態では、図２において、まず最内周領域＃１から符号化データを再生し、続いて最外周領域＃ｎから符号化データを再生し、以後中心に対して内周側の分割領域と外周側の分割領域を光ディスク２００の中央に向かって重複しないよう交互に再生していく。なお、図２の矢印は記録／再生方向を示す。
【００２８】
図３は本発明の再生方法及び再生装置の第１の実施の形態で再生すべき光ディスクの記録時のフローチャートを示す。図１のホストＣＰＵ１２０は、まず、変数ｉ１に「１」を代入し、かつ、変数ｉ２に「ｎ」を代入する初期化を行う（ステップＳ１）。ここで、上記の「ｎ」は図２に示した分割領域数である。続いて、図２に示した光ディスク２００の最内周領域＃１にバッファメモリ１１２から読み出した符号化データを記録再生制御回路１１３を介して光ピックアップ１１４により一定期間記録した後（ステップＳ２）、光ピックアップ１１４を光ピックアップ移動機構１１５により最外周領域＃ｎへシークした後、その最外周領域＃ｎにバッファメモリ１１２から続いて読み出した符号化データを、記録再生制御回路１１３を介して光ピックアップ１１４により一定期間記録する（ステップＳ３）。
【００２９】
続いて、ホストＣＰＵ１２０は、変数ｉ１を「１」インクリメントし（ステップＳ４）、そのインクリメント後の変数ｉ１がｎ／２より大であるかどうか判定し（ステップＳ５）、大でなければ記録する分割領域がまだ半分に達していないので、インクリメント後の変数ｉ１が示す分割領域＃ｉ１（ここでは、＃２）、すなわち、光ピックアップ１１４を光ピックアップ移動機構１１５により最内周から２番目の外周側の図２に示した分割領域＃２にシークした後、その分割領域＃２に対して一定期間バッファメモリ１１２から読み出した符号化データを、記録再生制御回路１１３を介して光ピックアップ１１４により一定期間記録する（ステップＳ６）。
【００３０】
続いて、ホストＣＰＵ１２０は、変数ｉ２を「１」デクリメントし（ステップＳ７）、そのデクリメント後の変数ｉ２が示す分割領域＃ｉ２（ここでは、＃ｎ−１）、すなわち、光ピックアップ１１４を光ピックアップ移動機構１１５により最外周から２番目の内周側の図２に示した分割領域＃ｎ−１にシークした後、その分割領域＃ｎ−１に対して一定期間バッファメモリ１１２から読み出した符号化データを、記録再生制御回路１１３を介して光ピックアップ１１４により一定期間記録する（ステップＳ８）。
【００３１】
続いて、ホストＣＰＵ１２０は、デクリメント後の変数ｉ２が（ｎ／２）＋１に達したかどうか判定し（ステップＳ９）、達していなければ、記録終了かどうか判定する（ステップＳ１０）。ステップＳ１０では記録する符号化データの全データが終了した場合や、記録を中止する場合などでなければ、記録終了ではないと判定し、再びステップＳ４に戻り、ステップＳ５〜Ｓ８の処理を行って、内周側の分割領域＃ｉ１の記録と、外周側の分割領域＃ｉ２の記録を交互に行う。
【００３２】
そして、ｎが偶数の場合は、ステップＳ９でｉ２が（ｎ／２）＋１に達したと判断した場合は、全ての分割領域の記録が終了と判断して記録を終了する（ステップＳ１２）。また、ｎが奇数の場合は、ステップＳ５で変数ｉ１がｎ／２より大となったときに、内周側の分割領域＃ｉ１に対して符号化データの記録を行った後（ステップＳ１１）、記録を終了する（ステップＳ１２）。このようにして全ての分割領域＃１〜＃ｎのそれぞれに連続する符号化データの内の各部分（一定期間の部分）の記録が順次に行われる。また、全ての分割領域の記録が終了しなくてもステップＳ１０で記録終了と判定した場合には、記録を終了する（ステップＳ１２）。
【００３３】
本発明の再生方法及び再生装置の第２の実施の形態では、図２において、まず最外周領域＃ｎから符号化データを再生し、続いて最内周領域＃１から符号化データを再生し、以後外周側の分割領域と内周側の分割領域を光ディスク２００の中央に向かって重複しないよう交互に再生していく。
【００３４】
図４は本発明の再生方法及び再生装置の第２の実施の形態で再生すべき光ディスクの記録時のフローチャートを示す。図１のホストＣＰＵ１２０は、まず、変数ｉ１に「ｎ」を代入し、かつ、変数ｉ２に「１」を代入する初期化を行う（ステップＳ２１）。ここで、上記の「ｎ」は図２に示した分割領域数である。続いて、図２に示した光ディスク２００の最外周領域＃ｎにバッファメモリ１１２から読み出した符号化データを記録再生制御回路１１３を介して光ピックアップ１１４により一定期間記録した後（ステップＳ２２）、光ピックアップ１１４を光ピックアップ移動機構１１５により最内周領域＃１へシークした後、その最内周領域＃１にバッファメモリ１１２から続いて読み出した符号化データを、記録再生制御回路１１３を介して光ピックアップ１１４により一定期間記録する（ステップＳ２３）。
【００３５】
続いて、ホストＣＰＵ１２０は、変数ｉ１を「１」デクリメントし（ステップＳ２４）、そのデクリメント後の変数ｉ１が（ｎ／２）＋１より小であるかどうか判定し（ステップＳ２５）、小でなければ記録する分割領域がまだ半分に達していないので、デクリメント後の変数ｉ１が示す分割領域＃ｉ１（ここでは、＃ｎ−１）、すなわち、光ピックアップ１１４を光ピックアップ移動機構１１５により最外周から２番目の内周側の図２に示した分割領域＃ｎ−１にシークした後、その分割領域＃ｎ−１に対して一定期間バッファメモリ１１２から読み出した符号化データを、記録再生制御回路１１３を介して光ピックアップ１１４により一定期間記録する（ステップＳ２６）。
【００３６】
続いて、ホストＣＰＵ１２０は、変数ｉ２を「１」インクリメントし（ステップＳ２７）、そのインクリメント後の変数ｉ２が示す分割領域＃ｉ２（ここでは、＃２）、すなわち、光ピックアップ１１４を光ピックアップ移動機構１１５により最内周から２番目の外周側の図２に示した分割領域＃２にシークした後、その分割領域＃２に対して一定期間バッファメモリ１１２から読み出した符号化データを、記録再生制御回路１１３を介して光ピックアップ１１４により一定期間記録する（ステップＳ２８）。
【００３７】
続いて、ホストＣＰＵ１２０は、インクリメント後の変数ｉ２が（ｎ／２）に達したかどうか判定し（ステップＳ２９）、達していなければ、記録終了かどうか判定する（ステップＳ３０）。ステップＳ３０では記録する符号化データの全データが終了した場合や、記録を中止する場合などでなければ、記録終了ではないと判定し、再びステップＳ２４に戻り、ステップＳ２５〜Ｓ２８の処理を行って、外周側の分割領域＃ｉ１の記録と、内周側の分割領域＃ｉ２の記録を交互に行う。
【００３８】
そして、ｎが偶数の場合は、ステップＳ２９でｉ２が（ｎ／２）に達したと判断した場合は、全ての分割領域の記録が終了と判断して記録を終了する（ステップＳ３２）。また、ｎが奇数の場合は、ステップＳ２５で変数ｉ１が（ｎ／２）＋１より大となったときに、外周側の分割領域＃ｉ１に対して符号化データの記録を行った後（ステップＳ３１）、記録を終了する（ステップＳ３２）。このようにして全ての分割領域＃１〜＃ｎのそれぞれに連続する符号化データの各部分（一定期間）の記録が順次に行われる。また、全ての分割領域の記録が終了しなくてもステップＳ３０で記録終了と判定した場合には、記録を終了する（ステップＳ３２）。
【００３９】
このように、本発明により再生すべき光ディスク２００は、単一の光ピックアップ１１４を用いて、ＣＡＶ方式でバッファメモリ１１２を介してその内周側の分割領域と外周側の分割領域とに対して間欠的に交互に符号化データが記録される。ここで、最外周領域＃ｎ及び最内周領域＃１の各転送速度をそれぞれ、標準速度に比べて１.０倍速、０.４倍速とすると、最外周領域＃ｎに比べて最内周領域＃１の記録再生速度（転送速度）は約２／５程度であるが、バッファメモリ１１２を介することで平均転送速度の向上を図れる。
【００４０】
ここで、例えば、ＢＤ（Ｂｌｕ−ｒａｙ Ｄｉｓｃ）における標準速度は、転送速度が約３６Ｍｂｐｓである。このときの線速度は毎秒４.９１７ｍ、半径２４ｍｍにおける最内周での回転数が毎分８１０回転、半径５８ｍｍにおける最外周での回転数が毎分１９５６回転となる。
【００４１】
次に、本発明により再生すべき光ディスクの記録時の具体例について、図面と共に詳細に説明する。
【００４２】
図５（Ａ）は、図３のフローチャートと共に説明した記録方法の第１の例を模式的に表した図である。同図において、縦軸は転送速度、横軸は時間を示す。図５（Ａ）は、記録時間とシーク時間の比が８:２の場合、例えば、記録時間が８００ｍｓ、シーク時間が２００ｍｓとした場合の記録動作を模式的に示す。すなわち、図５（Ａ）に示すように、図１のバッファメモリ１１２から読み出された符号化データは、まず最内周領域＃１に対して０.４倍速で８００ｍｓの期間光ピックアップ１１４により記録され、続いて光ピックアップ１１４を最外周領域＃ｎへシークした後、その最外周領域＃ｎに対して１.０倍速で８００ｍｓの期間記録される。
【００４３】
続いて、光ピックアップ１１４を内周側の分割領域＃２にシークした後、その分割領域＃２に対して８００ｍｓの期間上記の符号化データが記録され、続いて、光ピックアップ１１４を外周側の分割領域＃ｎ−１にシークした後、その分割領域＃ｎ−１に対して８００ｍｓの期間上記の符号化データの記録が行われ、以下、上記と同様に、中心に対して内周側の分割領域と外周側の分割領域とに対して間欠的に交互に記録が行われる。なお、実際にはシーク時間は記録が進むほど短くなる。また、バッファメモリ１１２の読み出し速度は、上記の記録時の転送速度になるように制御される。ここでは、最外周領域＃ｎ、及び最内周領域＃１の各転送速度をそれぞれ、標準速度に比べて１.０倍速、０.４倍速とする。
【００４４】
このように、内周側の分割領域と外周側の分割領域とを間欠的に交互に記録する場合の平均転送速度Ｖａは、記録時間をＲｔ、シーク時間をＳｔ、最内周領域の転送速度をＶｉ、最外周領域の転送速度をＶｏとしたとき、次式で表すことができる。
【００４５】
Ｖａ＝（Ｖｉ＋Ｖｏ）×Ｒｔ／［２×（Ｒｔ＋Ｓｔ）］        （１）
また、上記の記録を行うために必要とするバッファメモリ１１２の最小メモリ量Ｂは、時式で表すことができる。
【００４６】
Ｂ＝（Ｖｏ−Ｖａ）×Ｒｔ                                （２）
従って、図５（Ａ）の場合は、Ｒｔ＝８００(ms)、Ｓｔ＝２００(ms)、Ｖｉ＝０.４、Ｖｏ＝１.０であるから、（１）式より平均転送速度Ｖａは標準速度に比べて０.５６倍速となる。すなわち、最外周領域の転送速度が標準速度に比べて１２.０倍速なら、図５（Ａ）における平均転送速度は、約６.７（＝０.５６×１２.０）倍速となる。また、このとき必要とするバッファメモリ１１２の最小メモリ量Ｂは（２）式より、標準速度に比べて転送速度が約５.３（＝１２.０−６.７）倍速で８００ms分のメモリ量となる。すなわち、約１９ＭＢ（＝３６Ｍ×５.３×０.８／８）となる。
【００４７】
この場合は、バッファメモリ１１２に対して０.５６倍速の転送速度で符号化データを連続的に書き込みながら、図５（Ａ）に模式的に示した転送速度で符号化データをバッファメモリ１１２から読み出して記録することができる。
【００４８】
次に、図３のフローチャートと共に説明した記録方法の第２の例について説明する。図５（Ｂ）は、上記の第２の例の動作を模式的に示す図である。図５（Ｂ）に示すように、図１のバッファメモリ１１２から読み出された符号化データは、まず最内周領域＃１に対して０.４倍速で１８００ｍｓの期間光ピックアップ１１４により記録され、続いて光ピックアップ１１４を最外周領域＃ｎへシークした後、その最外周領域＃ｎに対して１.０倍速で１８００ｍｓの期間記録される。
【００４９】
続いて、光ピックアップ１１４を内周側の分割領域＃２にシークした後、その分割領域＃２に対して１８００ｍｓの期間上記の符号化データが記録され、続いて、光ピックアップ１１４を外周側の分割領域＃ｎ−１にシークした後、その分割領域＃ｎ−１に対して１８００ｍｓの期間上記の符号化データの記録が行われ、以下、上記と同様に、内周側の分割領域と外周側の分割領域とに対して間欠的に交互に記録が行われる。
【００５０】
この例の平均転送速度Ｖａは（１）式より標準速度に比べて０.６３倍速となる。すなわち、最外周領域の転送速度が標準速度に比べて１２.０倍速なら、図５（Ｂ）における平均転送速度は、約７.６（＝０.６３×１２.０）倍速となる。また、このとき必要とするバッファメモリ１１２の最小メモリ量Ｂは（２）式より、標準速度に比べて転送速度が約４.０倍速で１０００ms分のメモリ量となる。
【００５１】
このように、ＣＬＶ方式であれば、光ディスクの記録領域全面に亘って最内周の転送速度（上記の場合、標準速度の０.４倍速）で符号化データの記録が行われ、また従来のＣＡＶ方式では最内周の転送速度で制限されるのに対し、図５（Ａ）、（Ｂ）の例によれば、このＣＬＶ方式や従来のＣＡＶ方式よりも平均転送速度を高速化することができる。
【００５２】
次に、図４のフローチャートと共に説明した記録方法の第１の例について説明する。図６（Ａ）は、この第１の例の記録動作を模式的に表した図である。同図において、縦軸は転送速度、横軸は時間を示す。図６（Ａ）は、記録時間とシーク時間の比が８:２の場合、例えば、記録時間が８００ｍｓ、シーク時間が２００ｍｓとした場合の記録動作を模式的に示す。すなわち、図６（Ａ）に示すように、図１のバッファメモリ１１２から読み出された符号化データは、まず最外周領域＃ｎに対して１.０倍速で８００ｍｓの期間光ピックアップ１１４により記録され、続いて光ピックアップ１１４を最内周領域＃１へシークした後、その最内周領域＃１に対して０.４倍速で８００ｍｓの期間記録される。
【００５３】
続いて、光ピックアップ１１４を外周側の分割領域＃ｎ−１にシークした後、その分割領域＃ｎ−１に対して８００ｍｓの期間上記の符号化データが記録され、続いて、光ピックアップ１１４を内周側の分割領域＃２にシークした後、その分割領域＃２に対して８００ｍｓの期間上記の符号化データの記録が行われ、以下、上記と同様に、外周側の分割領域と内周側の分割領域とに対して間欠的に交互に記録が行われる。なお、実際にはシーク時間は記録が進むほど短くなる。また、バッファメモリ１１２の読み出し速度は、上記の記録時の転送速度になるように制御される。
【００５４】
この例では、（１）式より平均転送速度Ｖａは標準速度に比べて０.５６倍速となる。すなわち、最外周領域の転送速度が標準速度に比べて１２.０倍速なら、図６（Ａ）における平均転送速度は、約６.７（＝０.５６×１２.０）倍速となる。また、このとき必要とするバッファメモリ１１２の最小メモリ量Ｂは（２）式より、標準速度に比べて転送速度が約５.３倍速で８００ms分のメモリ量となる。
【００５５】
この場合は、バッファメモリ１１２に対して約６.７倍速の転送速度で符号化データを連続的に書き込みながら、図６（Ａ）に模式的に示した転送速度で符号化データをバッファメモリ１１２から読み出して記録することができる。
【００５６】
次に、図４のフローチャートと共に説明した記録方法の第２の例について説明する。図６（Ｂ）は、この第２の例の記録動作を模式的に表した図である。同図において、縦軸は転送速度、横軸は時間を示す。図６（Ｂ）は、記録時間とシーク時間の比が９:１の場合、例えば、記録時間が１８００ｍｓ、シーク時間が２００ｍｓとした場合の記録動作を模式的に示す。すなわち、図６（Ｂ）に示すように、図１のバッファメモリ１１２から読み出された符号化データは、まず最外周領域＃ｎに対して１.０倍速で１８００ｍｓの期間光ピックアップ１１４により記録され、続いて光ピックアップ１１４を最内周領域＃１へシークした後、その最内周領域＃１に対して０.４倍速で１８００ｍｓの期間記録される。
【００５７】
以下、上記と同様に、外周側の分割領域と内周側の分割領域とに対して間欠的に交互に記録が行われる。なお、実際にはシーク時間は記録が進むほど短くなる。また、バッファメモリ１１２の読み出し速度は、上記の記録時の転送速度になるように制御される。
【００５８】
図６（Ｂ）の例の平均転送速度Ｖａは（１）式より、標準速度に比べて０.６３倍速となる。すなわち、最外周領域の転送速度が標準速度に比べて１２.０倍速なら、図６（Ｂ）における平均転送速度は、約７.６（＝０.６３×１２.０）倍速となる。また、このとき必要とするバッファメモリ１１２の最小メモリ量Ｂは（２）式より、標準速度に比べて転送速度が約４.４（＝１２.０−７.６）倍速で１８００ms分のメモリ量となる。
【００５９】
以上の図６（Ａ）、（Ｂ）の例のいずれも、図５（Ａ）、（Ｂ）の例と同様にＣＬＶ方式よりも平均転送速度を高速化することができる。ただし、図６（Ａ）、（Ｂ）の例では、図６（Ａ）、（Ｂ）に示したように、図５（Ａ）、（Ｂ）に示した各例に比べて、最初に記録する領域が最も転送速度が高い最外周領域＃ｎであるので、バッファメモリ１１２から１.０倍速で符号化データを高速に読み出して記録する必要から、バッファメモリ１１２内の符号化データが空にならないよう、符号化データをある程度バッファメモリ１１２に蓄積しておくための時間がかかる。
【００６０】
次に、以上説明した記録方法により記録された光ディスクの再生を行う本発明の再生方法及び再生装置について詳細に説明する。
【００６１】
図７は本発明になる再生方法及び再生装置の第１の実施の形態のフローチャートを示す。本実施の形態は、図３に示した記録方法により、まず図２の最内周領域＃１に記録し、続いて最外周領域＃ｎに記録し、以後内周側の分割領域と外周側の分割領域を光ディスク２００の中央に向かって重複しないよう交互に連続する符号化データの内の各部分を分割領域にそれぞれ順次に記録した光ディスク２００から符号化データを再生する例である。
【００６２】
図７において、図１のホストＣＰＵ１２０は、まず、変数ｉ１に「１」を代入し、かつ、変数ｉ２に「ｎ」を代入する初期化を行う（ステップＳ４１）。ここで、上記の「ｎ」は図２に示した分割領域数である。続いて、図２に示した光ディスク２００の最内周領域＃１に光ピックアップ１１４をシークして、最内周領域＃１から符号化データを再生し、その符号化データを記録再生制御回路１１３を介してバッファメモリ１１２に供給して一時蓄積させた後（ステップＳ４２）、光ピックアップ１１４を光ピックアップ移動機構１１５により最外周領域＃ｎへシークした後、その最外周領域＃ｎから符号化データを再生し、その符号化データを記録再生制御回路１１３を介してバッファメモリ１１２に供給して一時蓄積させる（ステップＳ４３）。
【００６３】
続いて、ホストＣＰＵ１２０は、変数ｉ１を「１」インクリメントし（ステップＳ４４）、そのインクリメント後の変数ｉ１がｎ／２より大であるかどうか判定し（ステップＳ４５）、大でなければ再生する分割領域がまだ半分に達していないので、インクリメント後の変数ｉ１が示す分割領域＃ｉ１（ここでは、＃２）、すなわち、光ピックアップ１１４を光ピックアップ移動機構１１５により最内周から２番目の外周側の図２に示した分割領域＃２にシークした後、その分割領域＃２から符号化データを再生し、その符号化データを記録再生制御回路１１３を介してバッファメモリ１１２に供給して一時蓄積させる（ステップＳ４６）。
【００６４】
続いて、ホストＣＰＵ１２０は、変数ｉ２を「１」デクリメントし（ステップＳ４７）、そのデクリメント後の変数ｉ２が示す分割領域＃ｉ２（ここでは、＃ｎ−１）、すなわち、光ピックアップ１１４を光ピックアップ移動機構１１５により最外周から２番目の内周側の図２に示した分割領域＃ｎ−１にシークした後、その分割領域＃ｎ−１から符号化データを再生し、その符号化データを記録再生制御回路１１３を介してバッファメモリ１１２に供給して一時蓄積させる（ステップＳ４８）。
【００６５】
続いて、ホストＣＰＵ１２０は、デクリメント後の変数ｉ２が（ｎ／２）＋１に達したかどうか判定し（ステップＳ４９）、達していなければ、再生終了かどうか判定する（ステップＳ５０）。ステップＳ５０では再生する符号化データの全データが終了した場合や、再生を中止する場合などでなければ、再生終了ではないと判定し、再びステップＳ４４に戻り、ステップＳ４５〜Ｓ４８の処理を行って、内周側の分割領域＃ｉ１の再生と、外周側の分割領域＃ｉ２の再生を交互に行う。また、バッファメモリ１１２に順次に蓄積された再生符号化データは、連続してバッファメモリ１１２から読み出されて、図１のホストインターフェイス１１１、ホストバス１５０を介してビデオコーデック１４０に供給される。
【００６６】
そして、ｎが偶数の場合は、ステップＳ４９でｉ２が（ｎ／２）＋１に達したと判断した場合は、全ての分割領域の再生が終了と判断して再生を終了する（ステップＳ５２）。また、ｎが奇数の場合は、ステップＳ４５で変数ｉ１がｎ／２より大となったときに、内周側の分割領域＃ｉ１から符号化データを再生した後（ステップＳ５１）、再生を終了する（ステップＳ５２）。このようにして全ての分割領域＃１〜＃ｎから符号化データの再生が行われる。また、全ての分割領域の再生が終了しなくてもステップＳ５０で再生終了と判定した場合には、再生を終了する（ステップＳ５２）。
【００６７】
次に、本発明になる再生方法及び再生装置の第２の実施の形態について説明する。図８は本発明になる再生方法及び再生装置の第２の実施の形態のフローチャートを示す。本実施の形態は、図４に示した記録方法により、まず図２の最外周領域＃ｎに記録し、続いて最内周領域＃１に記録し、以後外周側の分割領域と内周側の分割領域を光ディスク２００の中央に向かって重複しないよう交互に連続する符号化データの内の各部分を分割領域にそれぞれ順次記録した光ディスク２００から符号化データを再生する例である。
【００６８】
図８において、図１のホストＣＰＵ１２０は、まず、変数ｉ１に「ｎ」を代入し、かつ、変数ｉ２に「１」を代入する初期化を行う（ステップＳ６１）。ここで、上記の「ｎ」は図２に示した分割領域数である。続いて、図２に示した光ディスク２００の最外周領域＃ｎに光ピックアップ１１４をシークして、最外周領域＃ｎから符号化データを再生した後（ステップＳ６２）、光ピックアップ１１４を最内周領域＃１へシークした後、その最内周領域＃１から符号化データを再生する（ステップＳ６３）。再生された符号化データは、記録再生制御回路１１３を介してバッファメモリ１１２に供給されて一時蓄積される。
【００６９】
続いて、ホストＣＰＵ１２０は、変数ｉ１を「１」デクリメントし（ステップＳ６４）、そのデクリメント後の変数ｉ１が（ｎ／２）＋１より小であるかどうか判定し（ステップＳ６５）、小でなければ再生する分割領域がまだ半分に達していないので、デクリメント後の変数ｉ１が示す分割領域＃ｉ１（ここでは、＃ｎ−１）、すなわち、光ピックアップ１１４を光ピックアップ移動機構１１５により最内周から２番目の内周側の図２に示した分割領域＃ｎ−１にシークした後、その分割領域＃ｎ−１から符号化データを再生する（ステップＳ６６）。
【００７０】
続いて、ホストＣＰＵ１２０は、変数ｉ２を「１」インクリメントし（ステップＳ６７）、そのインクリメント後の変数ｉ２が示す分割領域＃ｉ２（ここでは、＃２）、すなわち、光ピックアップ１１４を光ピックアップ移動機構１１５により最内周から２番目の外周側の図２に示した分割領域＃２にシークした後、その分割領域＃２から符号化データを再生する（ステップＳ６８）。ステップＳ６６、Ｓ６８で再生された符号化データは、バッファメモリ１１２に順次に蓄積される。
【００７１】
続いて、ホストＣＰＵ１２０は、インクリメント後の変数ｉ２が（ｎ／２）に達したかどうか判定し（ステップＳ６９）、達していなければ、再生終了かどうか判定する（ステップＳ７０）。ステップＳ７０では再生する符号化データの全データが終了した場合や、再生を中止する場合などでなければ、再生終了ではないと判定し、再びステップＳ６４に戻り、ステップＳ６５〜Ｓ６８の処理を行って、外周側の分割領域＃ｉ１の再生と、内周側の分割領域＃ｉ２の再生を交互に行う。
【００７２】
そして、ｎが偶数の場合は、ステップＳ６９でｉ２が（ｎ／２）に達したと判断した場合は、全ての分割領域の再生が終了と判断して再生を終了する（ステップＳ７２）。また、ｎが奇数の場合は、ステップＳ６５で変数ｉ１が（ｎ／２）＋１より小となったときに、外周側の分割領域＃ｉ１から符号化データを再生した後（ステップＳ７１）、再生を終了する（ステップＳ７２）。このようにして全ての分割領域＃１〜＃ｎから符号化データの再生が行われる。また、全ての分割領域の再生が終了しなくてもステップＳ７０で再生終了と判定した場合には、再生を終了する（ステップＳ７２）。
【００７３】
このように、上記の各実施の形態では、単一の光ピックアップ１１４を、ＣＡＶ方式の光ディスク２００の内周側方向と外周側方向とに交互に移動させて、記録時と同じ順番で各分割領域から連続する符号化データの内の一部分（一定期間の符号化データ）を順次に再生する。ここで、最外周領域＃ｎ、及び最内周領域＃１の各転送速度をそれぞれ、標準速度に比べて１.０倍速、０.４倍速とすると、最外周領域＃ｎに比べて最内周領域＃１の記録再生速度（転送速度）は約２／５程度であるが、バッファメモリ１１２を介することで平均転送速度の向上を図れる。以下、本発明の実施の形態の具体的な各実施例について、図面と共に詳細に説明する。
【実施例１】
【００７４】
図９（Ａ）は、図７のフローチャートと共に説明した第１の実施の形態の実施例１の動作を模式的に表した図である。同図において、縦軸は転送速度、横軸は時間を示す。すなわち、図９（Ａ）に示すように、図２に示した光ディスク２００のｎ個の分割領域＃１〜＃ｎのうち、まず最内周領域＃１に符号化データを記録し、続いて最外周領域＃ｎに符号化データを記録し、以後内周側の分割領域と外周側の分割領域を光ディスク２００の中央に向かって交互に符号化データを記録した光ディスク２００から記録時と同じ順序で内周側の分割領域と外周側の分割領域とを間欠的に交互に再生する動作を模式的に表した図である。図９（Ａ）は、再生時間とシーク時間の比が８:２の場合、例えば、再生時間が８００ｍｓ、シーク時間が２００ｍｓとした場合の再生動作を模式的に示す。
【００７５】
ここで、最外周領域＃ｎ、及び最内周領域＃１の各転送速度をそれぞれ、標準速度に比べて１.０倍速、０.４倍速とする。この場合は、最外周領域＃ｎに比べて最内周領域＃１の記録再生速度（転送速度）は約２／５程度であるが、バッファメモリ１１２を介することで平均転送速度の向上を図れる。
【００７６】
まず、図９（Ａ）に示す再生動作について説明する。このときの光ディスク２００には、図５（Ａ）に示す方法で符号化データが記録されている。まず、最内周領域＃１から０.４倍速で８００ｍｓの期間光ピックアップ１１４により符号化データを再生し、続いて光ピックアップ１１４を光ピックアップ移動機構１１５により最外周領域＃ｎへシークした後、その最外周領域＃ｎから１.０倍速で８００ｍｓの期間符号化データを再生する。続いて、光ピックアップ１１４を光ピックアップ移動機構１１５により最内周から２番目の外周側の分割領域である内周領域＃２にシークした後、その内周領域＃２から８００ｍｓの期間符号化データを再生し、続いて、光ピックアップ１１４を光ピックアップ移動機構１１５により最外周から２番目の内周側の分割領域である外周領域＃ｎ−１にシークした後、その外周領域＃ｎ−１に対して８００ｍｓの期間符号化データを再生する。以下、上記と同様に、内周側の分割領域と外周側の分割領域とに対して間欠的に交互に再生が行われる。なお、実際にはシーク時間は再生が進むほど短くなる。
【００７７】
バッファメモリ１１２は記録再生制御回路１１３を通して供給される上記の再生符号化データを一時蓄積した後、連続的に読み出す。バッファメモリ１１２に供給される再生符号化データの平均転送速度は、記録時と同じであり、図９（Ａ）の場合、再生時間が８００ｍｓ、シーク時間が２００ｍｓであり、標準速度に比べて０.５６倍速である。すなわち、最外周領域の転送速度が標準速度に比べて１２.０倍速なら、図９（Ａ）における平均転送速度は、約６.７（＝０.５６×１２.０）倍速となる。しかし、再生遅延が発生する。これは、平均転送速度より遅い最内周領域＃１から再生するために、バッファメモリ１１２にある程度の量の再生符号化データを蓄積する必要から生じる遅延である。
【実施例２】
【００７８】
次に、本発明の実施例２について説明する。図９（Ｂ）は、実施例１と同様に内周側の分割領域と外周側の分割領域とを間欠的に交互に再生する本発明の第１の実施の形態の実施例で、再生時間とシーク時間の比が９:１の場合、例えば、再生時間が１８００ｍｓ、シーク時間が２００ｍｓとした場合の実施例２の再生動作を模式的に示す。すなわち、このとき再生する光ディスク２００には、図５（Ｂ）に示す方法で符号化データが記録されている。
【００７９】
この光ディスク２００を再生する場合、図９（Ｂ）に示すように、まず最内周領域＃１から０.４倍速で１８００ｍｓの期間光ピックアップ１１４により符号化データを再生し、続いて光ピックアップ１１４を光ピックアップ移動機構１１５により最外周領域＃ｎへシークした後、その最外周領域＃ｎから１.０倍速で１８００ｍｓの期間符号化データを再生する。
【００８０】
続いて、光ピックアップ１１４を光ピックアップ移動機構１１５により内周側の分割領域＃２にシークした後、その分割領域＃２から１８００ｍｓの期間符号化データを再生し、続いて、光ピックアップ１１４を外周側の分割領域＃ｎ−１にシークした後、その分割領域＃ｎ−１に対して１８００ｍｓの期間符号化データを再生する。以下、上記と同様に、内周側の分割領域と外周側の分割領域とに対して間欠的に交互に再生が行われる。
【００８１】
バッファメモリ１１２に供給される再生符号化データの平均転送速度は、記録時と同じであり、図９（Ｂ）の場合、再生時間が１８００ｍｓ、シーク時間が２００ｍｓであり、標準速度に比べて０.６３倍速である。すなわち、最外周領域の転送速度が標準速度に比べて１２.０倍速なら、図９（Ｂ）における平均転送速度は、約７.６（＝０.６３×１２.０）倍速となる。
【００８２】
このように、上記の実施例１及び２のように、ＣＬＶ方式であれば、光ディスクの記録領域全面に亘って最内周の転送速度（上記の場合、標準速度の０.４倍速）で符号化データの再生が行われ、また従来のＣＡＶ方式では最内周の転送速度で制限されるのに対し、図９（Ａ）、（Ｂ）の例によれば、このＣＬＶ方式や従来のＣＡＶ方式よりも平均転送速度を高速化することができる。また、本発明で再生する光ディスクは、光ピックアップは単一であるので、２つの光ヘッドを用いる従来装置よりも構成を簡略化でき、また、光ディスク２００の記録領域全面を使用して再生ができるので、光ディスク２００の記録領域のすべてを有効利用することができる。
【実施例３】
【００８３】
次に、本発明の実施例３について説明する。本実施例は図８のフローチャートと共に説明した本発明の第２の実施の形態の実施例で、まず、最外周領域＃ｎに記録し、続いて最内周領域＃１に記録し、以後外周側の分割領域と内周側の分割領域を光ディスク２００の中央に向かって交互に記録した光ディスクを再生する実施例である。
【００８４】
図１０（Ａ）は、上記した順で外周側の分割領域と内周側の分割領域とを間欠的に交互に再生する実施例３の動作を模式的に表した図である。同図において、縦軸は転送速度、横軸は時間を示す。ここで、最外周領域＃ｎ、及び最内周領域＃１の各転送速度をそれぞれ、標準速度に比べて１.０倍速、０.４倍速とする。この場合は、最外周領域＃ｎに比べて最内周領域＃１の記録再生速度（転送速度）は約２／５程度であるが、バッファメモリ１１２を介することで平均転送速度の向上を図れる。
【００８５】
次に、図１０（Ａ）に示す再生動作について説明する。このときの光ディスク２００には、図６（Ａ）に示す方法で符号化データが記録されている。図１０（Ａ）に示すように、まず、最外周領域＃ｎから１.０倍速で８００ｍｓの期間光ピックアップ１１４により符号化データを再生し、続いて光ピックアップ１１４を最内周領域＃１へシークした後、その最内周領域＃１から０.４倍速で８００ｍｓの期間符号化データを再生する。
【００８６】
続いて、光ピックアップ１１４を分割領域＃ｎ−１にシークした後、その分割領域＃ｎ−１から８００ｍｓの期間符号化データを再生し、続いて、光ピックアップ１１４を分割領域＃２にシークした後、その分割領域＃２に対して８００ｍｓの期間符号化データを再生する。以下、上記と同様に、外周側の分割領域と内周側の分割領域とに対して間欠的に交互に再生が行われる。
【００８７】
バッファメモリ１１２に供給される再生符号化データの平均転送速度は、記録時と同じであり、図１０（Ａ）の場合、再生時間が８００ｍｓ、シーク時間が２００ｍｓであり、標準速度に比べて０.５６倍速である。すなわち、最外周領域の転送速度が標準速度に比べて１２.０倍速なら、図１０（Ａ）における平均転送速度は、約６.７（＝０.５６×１２.０）倍速となる。また、この例では、図６（Ａ）、（Ｂ）のような再生遅延は生じない。最初に再生する最外周領域＃ｎからは平均転送速度に比べて高い転送速度で符号化データが再生されて、バッファメモリ１１２に蓄積されるためである。
【実施例４】
【００８８】
次に、本発明の実施例４について説明する。本実施例は、実施例３と同様に外周側の分割領域と内周側の分割領域とを間欠的に交互に再生する本発明の第２の実施の形態の実施例で、図１０（Ｂ）は再生時間とシーク時間の比が９:１の場合、例えば、再生時間が１８００ｍｓ、シーク時間が２００ｍｓとした場合の実施例４の再生動作を模式的に示す。すなわち、このとき再生する光ディスク２００には、図６（Ｂ）に示す方法で符号化データが記録されている。
【００８９】
図１０（Ｂ）に示すように、まず、最外周領域＃ｎから１.０倍速で１８００ｍｓの期間光ピックアップ１１４により符号化データを再生し、続いて光ピックアップ１１４を最内周領域＃１へシークした後、その最内周領域＃１から０.４倍速で１８００ｍｓの期間符号化データを再生する。
【００９０】
続いて、光ピックアップ１１４を分割領域＃ｎ−１にシークした後、その分割領域＃ｎ−１から１８００ｍｓの期間符号化データを再生し、続いて、光ピックアップ１１４を分割領域＃２にシークした後、その分割領域＃２に対して１８００ｍｓの期間符号化データを再生する。以下、上記と同様に、外周側の分割領域と内周側の分割領域とに対して間欠的に交互に再生が行われる。
【００９１】
バッファメモリ１１２に供給される再生符号化データの平均転送速度は、記録時と同じであり、図１０（Ｂ）の場合、再生時間が１８００ｍｓ、シーク時間が２００ｍｓであり、標準速度に比べて０.６３倍速である。すなわち、最外周領域の転送速度が標準速度に比べて１２.０倍速なら、図１０（Ｂ）における平均転送速度は、約７.６（＝０.６３×１２.０）倍速となる。また、この例では、図６（Ａ）、（Ｂ）のような再生遅延は生じない。最初に再生する最外周領域＃ｎからは平均転送速度に比べて高い転送速度で符号化データが再生されて、バッファメモリ１１２に蓄積されるためである。
【００９２】
以上の実施例３及び４のいずれも、実施例１及び２と同様にＣＬＶ方式よりも平均転送速度を高速化することができ、また、２つの光ヘッドを用いる従来装置よりも構成を簡略化でき、更に、光ディスク２００の記録領域全面を使用して記録ができるので、光ディスク２００の記録領域のすべてを有効利用することができる。
【００９３】
次に、間欠的な交互記録再生を実現するためのセクタ管理の方式について説明する。光ディスク２００の論理アドレスを複数の分割領域のうち、内周側の分割領域と外周側の分割領域とを交互に、かつ、光ディスクの中心方向に向かって順次に割り当て、連続した論理アドレスのセクタを記録再生することで、本発明の記録再生が実現できる。ここで、論理アドレスの割り当ては、光ディスクの装置としての割り当てでもよいし、光ディスクのファイルシステムとしての割り当てでもよい。
【００９４】
なお、本発明は以上の実施の形態や実施例に限定されるものではなく、例えば、記録再生装置１００のバッファメモリ１１２を用いる替りに、例えばホストメモリ４００を用いることもできる。これにより、記録再生装置１００のバッファメモリ量に拠らずに、本発明を実施することができる。
【００９５】
また、以上の実施例では、光ディスク２００の複数の分割領域のうち、内周側の分割領域と外周側の分割領域を交互に、かつ、光ディスクの中心方向に向かって順次に割り当てるように説明したが、光ディスク２００の全体の記録領域の中心にある分割領域に対して最初に記録又は再生を行い、続いて、その中心の分割領域に内周側又は外周側に隣接する分割領域に対して記録又は再生を行い、続いて、その中心の分割領域に外周側又は内周側に隣接する分割領域に対して記録又は再生を行い、以下、同様にして最外周と最内周とにそれぞれ向かって交互に各分割領域の記録又は再生を行うようにしてもよい。また、記録再生装置について実施例を説明してきたが、記録専用装置により同様の記録方法で記録された記録媒体を再生することでも、本発明による効果を実現することができる。
【図面の簡単な説明】
【００９６】
【図１】本発明の再生装置の一実施の形態を備えた記録再生装置のブロック図である。
【図２】本発明により再生する光ディスクの各分割領域の一例を説明する図である。
【図３】本発明の再生方法及び再生装置の第１の実施の形態で再生すべき光ディスクの記録時のフローチャートである。
【図４】本発明の再生方法及び再生装置の第２の実施の形態で再生すべき光ディスクの記録時のフローチャートである。
【図５】図３の各具体例の動作を模式的に表した図である。
【図６】図４の各具体例の動作を模式的に表した図である。
【図７】本発明の第１の実施の形態のフローチャートである。
【図８】本発明の第２の実施の形態のフローチャートである。
【図９】本発明の第１の実施の形態の各実施例の動作を模式的に表した図である。
【図１０】本発明の第２の実施の形態の各実施例の動作を模式的に表した図である。
【符号の説明】
【００９７】
１００  記録再生装置
１１０  記録再生部
１１１  ホストインターフェイス
１１２  バッファメモリ
１１３  記録再生制御回路
１１４  光ピックアップ
１１５  光ピックアップ移動機構
１１６  スピンドルモータ
１２０  ホストＣＰＵ（中央処理装置）
１３０  ホストメモリ
１４０  ビデオコーデック
１５０  ホストバス
【図１】
2009087416.tif 000003
【図２】
2009087416.tif 000004
【図３】
2009087416.tif 000005
【図４】
2009087416.tif 000006
【図５】
2009087416.tif 000007
【図６】
2009087416.tif 000008
【図７】
2009087416.tif 000009
【図８】
2009087416.tif 000010
【図９】
2009087416.tif 000011
【図１０】
2009087416.tif 000012